(57)【要約】      （修正有）【課題】無線ラジオ波識別技術（ＲＦＩＤ）で所定のセンサー設備と感知を行うことができる商品識別タグ装置を提供する。【解決手段】チップ体１を備える。チップ体の表面にはリードオンリーチップ２が設けられ、リードオンリーチップは、アンテナ３に電気的に接続される。また、チップ体におけるリードオンリーチップ及びアンテナ外部には薄膜が設けられ、薄膜の外部表面は粘性を備え、チップ体を商品に貼り付けられる。以上により、所定のセンサー設備によって、無線ラジオ波識別技術で、リードオンリーチップがリードオンリー状態であるか感知・検出し、リードオンリーチップがリードオンリー状態であると検出された時、チップ体は即ち本物タグであり、リードオンリーチップが非リードオンリー状態であると検出された時、前記チップ体は偽造タグである。このようにして、識別タグの真偽を得る効果がある。【選択図】図２
0003211565.tif 000002
【実用新案登録請求の範囲】
【請求項１】
チップ体と、前記チップ体の表面に設けられたリードオンリーチップと、少なくとも一つのアンテナとからなる、無線ラジオ波識別技術で所定のセンサー設備と感知を行う商品識別タグ装置であって、
前記リードオンリーチップと前記アンテナは、電気的に接続され、且つ前記チップ体における前記リードオンリーチップ及び前記アンテナが設けられた表面には、薄膜が設けられ、前記薄膜は前記リードオンリーチップ及び前記アンテナを覆い、
前記センサー設備は、無線ラジオ波識別技術で感知して前記リードオンリーチップがリードオンリー状態であるかどうかを検出し、前記センサー設備によって前記リードオンリーチップがリードオンリー状態であると検出された時、前記チップ体は即ち本物タグであり、前記センサー設備によって前記リードオンリーチップが非リードオンリー状態であると検出された時、前記チップ体は偽造タグであることを特徴とする、商品識別タグ装置。
【請求項２】
前記アンテナは、印刷或いは銅線或いはＰＣＢ型式で配置が行われることを特徴とする、請求項１に記載の商品識別タグ装置。
【請求項３】
前記薄膜は外部表面に粘性を備え、前記チップ体は、粘性を備える前記薄膜によって離形紙に先に貼り付けられることを特徴とする、請求項１に記載の商品識別タグ装置。
【考案の詳細な説明】
【技術分野】
【０００１】
本考案は商品識別タグ装置に関し、特に、センサー設備によって、無線ラジオ波識別技術（ＲＦＩＤ）で、商品タグに設けたリードオンリーチップがリードオンリー状態であるかどうかを感知・検出し、リードオンリーチップがリードオンリー状態であると検出された時、前記商品タグは本物タグであり、また、リードオンリーチップが非リードオンリー状態であると検出された時、前記商品タグは偽造タグであり、それにより、商品タグの真偽の識別効果を得ることができる商品識別タグ装置に関する。
【背景技術】
【０００２】
無線ラジオ波識別技術は、主に、無線電気信号によって、特定の目標を識別し、関連データの読み書きを行うことができるため、無線ラジオ波識別技術をセンサーのＲＦＩＤタグに使用されるようになっている。また、従来のＲＦＩＤタグは、識別機器が発する電磁場内でエネルギーを得られるため、ＲＦＩＤタグ自体に電源は必要なく、且つＲＦＩＤタグに設けられたチップは、データの保存と取得を行うことができるため、設計者によって電子マネーやＭＲＴの悠遊カードなどの電子ビジネスにおいて用いられており、識別及び保存と記憶のマルチ機能として使われている。
【０００３】
しかしながら、従来のＲＦＩＤタグに設けられたチップは、データのメモリー保存と、読み取り可能な機能を兼ね備えたマルチな機能特性を備えているため、それに伴って設計と製造コストもあがる。このため、低価格で運用できるＲＦＩＤタグは、長い間ずっと制限を受け、それを有効に解決することができていないため、一般の商品タグに幅広く使用することができていない。
【考案の概要】
【考案が解決しようとする課題】
【０００４】
本考案は、無線ラジオ波識別技術（ＲＦＩＤ）で所定のセンサー設備と感知を行うことができる商品識別タグ装置を提供することを主な目的とする。
【課題を解決するための手段】
【０００５】
本考案による商品識別タグ装置は、チップ体と、前記チップ体の表面に設けられたリードオンリーチップと、少なくとも一つのアンテナと、からなる。また、前記アンテナは、印刷或いは銅線或いはＰＣＢ形式によって配置を行う。前記リードオンリーチップとアンテナは電気的に接続され、チップ体におけるリードオンリーチップ及びアンテナを設けた表面には薄膜が設けられ、それにより、薄膜がリードオンリーチップ及びアンテナを覆う。また、薄膜の外部表面は粘性を備え、チップ体を商品に貼り付けることができ、それにより、識別性を有したタグになる。
【考案の効果】
【０００６】
本考案の特徴は、所定のセンサー設備が、無線ラジオ波識別技術によってリードオンリーチップがリードオンリー状態であるかどうか感知・検出し、リードオンリーチップがリードオンリー状態であると検出された時、前記チップ体は本物タグであり、また、リードオンリーチップが非リードオンリー状態である時、前記チップ体は偽造タグであり、それにより、商品タグの真偽を識別する効果を得ることができる。また、チップ体に設けらたチップはリードオンリーチップでるため、設計と製造コストを下げることができ、それにより、一般商品タグに幅広く使用することができるようになることを最終の目的とする。
【図面の簡単な説明】
【０００７】
【図１】本考案による商品識別タグ装置の使用状態の実施例を示した図である。
【図２】本考案による商品識別タグ装置の実施例１を示した図である。
【図３】本考案による商品識別タグ装置の実施例２を示した図である。
【図４】本考案による商品識別タグ装置を横から見た断面図である。
【考案を実施するための形態】
【０００８】
図１、図２及び図４を参照する。本考案による商品識別タグ装置は、無線ラジオ波識別技術（Ｒａｄｉｏ  Ｆｒｅｑｕｅｎｃｙ  Ｉｄｅｎｔｉｆｉｃａｔｉｏｎ；略称ＲＦＩＤ）によって、所定のセンサー設備と感知を行う。本考案による商品識別タグ装置は、チップ体１と、チップ体１の表面に設けられたリードオンリーチップ２と、少なくとも一つのアンテナ３（印刷或いは銅線或いはＰＣＢ型式で配置を行う）とからなる。リードオンリーチップ２とアンテナ３は電気的に接続され、且つ、チップ体１におけるリードオンリーチップ２及びアンテナ３が設けられた表面には、さらに、薄膜４が設けられ、薄膜４はリードオンリーチップ２及びアンテナ３を覆う。また、薄膜４は、外部表面に黏性を備え、チップ体１を商品に貼り付けることができる。
【０００９】
本考案の実施例においては、所定のセンサー設備を用いて、無線ラジオ波識別技術方式で、チップ体１のリードオンリーチップ２がリードオンリー状態であるかを感知・検出し、リードオンリーチップ２がリードオンリー状態であると検出した時は即ち前記チップ体１は本物タグである。また、リードオンリーチップ２が非リードオンリー状態である時、前記チップ体１は偽造タグであり、チップ体１を商品タグとして用いることで商品タグの真偽を識別する効果を得ることができる。
【００１０】
また、前記チップ体１に設けらたチップは、リードオンリーチップ２であり、リードオンリーチップ２の価格は、読み書き可能なメモリーチップの価格より大幅に安いため、チップ体１の設計と製造コストを下げることができる。そのため、本考案のチップ体１は、一般商品のタグに幅広く使用することができる。
【００１１】
図３に示すように、前記チップ体１は、任意の形状を呈することができる（例えば円形；または、前記チップ体１は長方形を呈することができる（図２に図示））。
【００１２】
また、前記チップ体１は、粘性を備える薄膜４によって、離形紙５に先に貼り付けて（図１に図示）、使用者に提供することができる（例えば、シールを貼る方式で、チップ体１を商品に貼る）。
【符号の説明】
【００１３】
１  チップ体
２  リードオンリーチップ
３  アンテナ
４  薄膜
５  離形紙
【図１】
0003211565.tif 000003
【図２】
0003211565.tif 000004
【図３】
0003211565.tif 000005
【図４】
0003211565.tif 000006